(57)【特許請求の範囲】
【請求項１】
試料スライドの処理装置であって、
試料スライド上に配置された薄切片を封入処理するための少なくとも１つの封入モジュールと、前記試料スライドを搬出するための搬出ユニットとを有し、
前記封入モジュールは、先ず封入剤を前記試料スライド上へ塗布し、引き続いて被覆要素を該試料スライド上へ載置し、
前記搬出ユニット（１８）は、該搬出ユニット（１８）内に配置された前記試料スライド（２１）における塗布された前記封入剤から少なくとも一溶剤を少なくとも部分的に除去するための乾燥ユニット（３２）を含んで構成され、
封入処理された前記試料スライド（２１）を前記封入モジュール（１４）から前記搬出ユニット（１８）へ移送するための移送ユニット（１２）が設けられており、
該移送ユニット（１２）は、該移送ユニット（１２）を用い、前記試料スライド（２１）の収容されているラック（２０）が前記搬出ユニット（１８）へ供給可能であるように構成されており、
前記搬出ユニット（１８）は、搬出引出し（２２）を含んで構成され、該搬出引出し（２２）上には、前記試料スライド（２１）の収容されている搬出すべき前記ラック（２０）が保管されること
を特徴とする処理装置。
【請求項２】
前記乾燥ユニット（３２）は、空気流を前記試料スライド（２１）へ供給するための空気供給ユニット（３４）を含んで構成されること
を特徴とする、請求項１に記載の処理装置。
【請求項３】
前記試料スライド（２１）の収容されている前記ラック（２０）は、前記乾燥ユニット（３２）を用いた乾燥処理中において前記搬出引出し（２２）上に保管されること、前記搬出引出し（２２）は、引き込まれた状態において当該処理装置のハウジング（２６）の内側に配置されること、及び、前記搬出引出し（２２）は、搬出すべき前記試料スライド（２１）を取り出すための引き出された状態において少なくとも部分的に当該処理装置の前記ハウジング（２６）の外側に配置されること
を特徴とする、請求項１又は２に記載の処理装置。
【請求項４】
前記搬出引出し（２２）は、駆動ユニット（２８）を用いて及び／又は手動で、引き込まれた状態から引き出された状態へ、或いは引き出された状態から引き込まれた状態へ移動可能であること
を特徴とする、請求項１〜３のいずれか一項に記載の処理装置。
【請求項５】
前記搬出ユニット（１８）はケーシング（７２）を含んで構成されること、前記搬出ユニット（１８）の該ケーシング（７２）は、前記試料スライド（２１）の収容されているラック（２０）及び／又は前記試料スライド（２１）を供給するための第１開口部（７４）を含んで構成されること、及び、前記搬出ユニット（１８）は、前記搬出引出し（２２）が通過移動可能である第２開口部を含んで構成されること
を特徴とする、請求項１〜４のいずれか一項に記載の処理装置。
【請求項６】
前記第１開口部（７４）は、摺動式扉（７６）を介して閉鎖可能であること
を特徴とする、請求項５に記載の処理装置。
【請求項７】
前記搬出引出し（２２）の前壁（２４）が、該搬出引出し（２２）が引き込まれた状態に配置されている場合に前記第２開口部を閉鎖すること
を特徴とする、請求項５又は６に記載の処理装置。
【請求項８】
前記搬出ユニット（１８）の前記ケーシング（７２）の少なくとも１つの部分領域が、断熱材料を用いて断熱されていること
を特徴とする、請求項５〜７のいずれか一項に記載の処理装置。
【請求項９】
前記乾燥ユニット（３２）は、前記搬出引出し（２２）内に収容されている前記試料スライド（２１）から空気を排出するための空気排出ユニット（４６）を含んで構成されること
を特徴とする、請求項１〜８のいずれか一項に記載の処理装置。
【請求項１０】
前記空気供給ユニット（３４）を用いて供給される空気流を加熱するためのヒータ要素（４０）が設けられていること
を特徴とする、請求項２〜９のいずれか一項に記載の処理装置。
【請求項１１】
前記空気供給ユニット（３４）は、該空気供給ユニット（３４）が、０.５ｍ／ｓ〜１.５ｍ／ｓの間の気流速度及び／又は４ｍ３／ｈ〜５ｍ３／ｈの間の容積流量を有し、予め設定された温度を有する空気流を供給するように構成されていること
を特徴とする、請求項２〜１０のいずれか一項に記載の処理装置。
【請求項１２】
供給すべき空気をフィルタリングするためのフィルタ、及び／又は、排出される空気をフィルタリングするためのフィルタが設けられていること
を特徴とする、請求項９〜１１のいずれか一項に記載の処理装置。
【請求項１３】
前記ラック（２０）或いは前記試料スライド（２１）の保管されている前記搬出引出し（２２）の底部要素（４２）が、少なくとも１つの開口部（４４）を有すること、及び、前記空気供給ユニット（３４）は、前記開口部（４４）を通って空気流を前記試料スライド（２１）へ供給すること
を特徴とする、請求項４〜１２のいずれか一項に記載の処理装置。
【請求項１４】
前記搬出引出し（２２）は、互いに対向配置された２つの側壁（１０２、１０４）を含んで構成されること、及び、該側壁（１０２、１０４）には、各々、空気流を供給するための少なくとも１つのスリット状ノズル（８０、８２）が設けられていること
を特徴とする、請求項４〜１２のいずれか一項に記載の処理装置。
【請求項１５】
前記空気供給ユニット（３４）は、空気流を供給するための少なくとも１つの空気供給路（３６''）を含んで構成され、前記空気排出ユニット（４６）は、空気を排出するための少なくとも１つの空気排出路（４８''）を含んで構成されること、及び、少なくとも一部分領域において前記空気供給路（３６''）の境界壁と前記空気排出路（４８''）の境界壁が一体式で構成されていること
を特徴とする、請求項９〜１４のいずれか一項に記載の処理装置。
【発明の詳細な説明】
【技術分野】
【０００１】
（関連出願の記載）
本出願は、２０１０年１１月２６日出願のドイツ特許出願第  １０  ２０１０  ０６０  ８２４．６  号の優先権主張に基づくものであり、同出願の全記載内容は引用をもって本明細書に組み込み記載されているものとする。
【０００２】
本発明は、試料スライドの処理装置に関し、特に、試料スライド（試料支持体）上に配置された薄切片を被覆要素で被覆（以下、封入処理（Ｅｉｎｄｅｃｋｅｎ）という）するための少なくとも１つの封入モジュールを含んで構成される試料スライドの処理装置（取扱装置）に関する。そのために前記封入モジュールは、先ず封入剤（被覆剤ないし封入媒体）を試料スライド上へ塗布し、引き続いて被覆要素（カバー部材）、特にカバーガラスを該試料スライド上へ載置（カバースリップ）する。更に本処理装置は、試料スライドを搬出するための搬出ユニット（アウトプットユニット）を有する。
【背景技術】
【０００３】
組織学において、組織試料（組織検体）から生成される薄切片は試料スライド（所謂スライド）上に載置される。引き続き、試料スライド上に載置された薄切片は、通常は（薬品などで）処理され、例えば染色及び／又は脱水される。その後、薄切片を保護するために薄切片はカバーガラスを用いて封入される。カバーガラスを載置する前に先ずは、カバーガラスを試料スライド上で付着させる封入剤が塗布される。そしてこのように封入処理された試料スライドは顕微鏡へ導かれる。
【０００４】
先行技術文献として下記特許文献が挙げられる。これらの特許文献の全開示内容はこれらの引用をもって本明細書に組み込み記載されているものとする。
【先行技術文献】
【特許文献】
【０００５】
【特許文献１】ＵＳ  ２００９／０１１０５９７  Ａ１
【特許文献２】ＵＳ  ２００７／０１７２９１１  Ａ１
【特許文献３】ＵＳ  ２００６／０２３１０２３  Ａ１
【特許文献４】ＤＥ  １０１  ４４  ９８９  Ａ１
【特許文献５】ＤＥ  ４１  １７  ８３３  Ａ１
【発明の概要】
【発明が解決しようとする課題】
【０００６】
以下の分析は本発明者によるものである。試料スライド上に配置された薄切片を封入処理するための公知の装置において、封入処理された試料スライドが極めて注意深く慎重に取り扱われなくてはならないことは問題であるが、その理由は、封入モジュールから試料スライドを取り出す際に封入剤がまだ完全には乾いてなく、従って例えば試料スライドが水平でない状態に保たれた場合にはカバーガラスが滑ってその位置をずらしてしまうからである。それにより薄切片は損傷されてしまう。また、カバーガラスが滑って位置をずらすことで横の方へ試料スライドから突き出てしまい、それにより試料スライドを取り扱う使用者が簡単に指や手を切ってしまうということもあり得る。このことは、汚染されている薄切片を取り扱う場合に特に問題であるが、その理由は、その場合には使用者が感染のリスクにさらされているためである。
【０００７】
上記特許文献１から、試料スライドの処理装置が公知であり、該処理装置は、封入モジュールと、乾燥ユニットと、封入処理されて乾燥処理された試料スライドを搬出するための搬出ユニットとを含んでいる。この際、試料スライドは、これらの試料スライドが個々に乾燥ユニットを通って搬出ユニットへ移送される間、乾燥され、そして個々に搬出ユニット内に保管される。
【０００８】
試料スライドを封入処理するための別の装置及び方法が上記特許文献２及び３から公知である。
【０００９】
上記特許文献４及び５には、試料スライド上に配置された組織試料を染色するための自動染色機が記載されており、該自動染色機は、試料スライドを供給する及び／又は取り出すためのドロア（引出し部材）を含んでいる。
【００１０】
従って本発明の課題は、コンパクトな構造をもち、そして封入処理された試料スライドを容易に取り扱うことができるよう、試料スライド上に配置された薄切片を簡単に封入処理可能とする、試料スライドの処理装置を提供することである。
【課題を解決するための手段】
【００１１】
本発明の一視点によれば、試料スライドの処理装置であって、試料スライド上に配置された薄切片を封入処理するための少なくとも１つの封入モジュールと、前記試料スライドを搬出するための搬出ユニットとを有し、前記封入モジュールは、先ず封入剤を前記試料スライド上へ塗布し、引き続いて被覆要素を該試料スライド上へ載置する、処理装置が提供される。該処理装置において、搬出ユニットは、該搬出ユニット内に配置された前記試料スライドにおける塗布された前記封入剤から少なくとも一溶剤を少なくとも部分的に除去するための乾燥ユニットを含んで構成される。封入処理された前記試料スライドを前記封入モジュールから前記搬出ユニットへ移送するための移送ユニットが設けられており、該移送ユニットは、該移送ユニットを用い、前記試料スライドの収容されているラックが前記搬出ユニットへ供給可能であるように構成されている。前記搬出ユニットは、搬出引出しを含んで構成され、該搬出引出し上には、前記試料スライドの収容されている搬出すべき前記ラックが保管されることを特徴とする。
（尚、本願の特許請求の範囲に付記されている図面参照符号は専ら本発明の理解の容易化のためのものであり、図示の形態に限定することを意図するものではないことを付言する。）
【発明の効果】
【００１２】
本発明の上記一視点によれば、本発明の課題に対応する効果、即ちコンパクトな構造をもち、そして封入処理された試料スライドを容易に取り扱うことができるよう、試料スライド上に配置された薄切片を簡単に封入処理可能とする、試料スライドの処理装置が提供される。
【００１３】
試料スライド上に塗布された封入剤から溶剤を除去する（Ｅｎｔｚｉｅｈｅｎ）ために乾燥ユニットを設けたことにより、封入剤が迅速に乾燥し、従って被覆要素が試料スライドにおいて確実に固着する。従って試料スライドは、既に封入処理後の短時間内で、たとえ試料スライドが斜めに保持されたとしても被覆要素が滑って位置をずらしてしまうことなく取り出すことができる。特に乾燥ユニットにより、溶剤の比較的迅速な気化（蒸発）が達成される。搬出ユニット内に配置されている試料スライドが乾燥ユニットにより乾燥されるように乾燥ユニットを配置することにより、本処理装置の特にコンパクトな構造が達成される。特に、別個の乾燥ユニットであって該別個の乾燥ユニットでは、試料スライドが乾燥処理後に搬出ユニットへ移送される前に該試料スライドを乾燥処理のために中間貯蔵するという形式の別個の乾燥ユニットの介在使用を省くことができる。従って本処理装置内における試料スライドの必要不可欠な移送回数も減少される。
【発明を実施するための形態】
【００１４】
先ず、本発明の好ましい実施形態の概要について説明する。
【００１５】
被覆要素として特にカバーガラスが使用される。溶剤は、揮発性ないし蒸発可能なものでよく、特にキシレン（Ｘｙｌｏｌ）、トルエン（Ｔｏｌｕｏｌ）、及び／又は水を含んでいる。
【００１６】
試料スライド上に塗布された封入剤から溶剤を除去する（Ｅｎｔｚｉｅｈｅｎ）ことは、好ましくは、試料スライドに対し、乾燥ユニットの空気供給ユニットにより空気流を供給することにより達成される。この空気乾燥により封入剤の慎重な（ないし処理対象に悪影響を及ぼさない条件で、即ち大きなストレスを生じない、ｌｏｗ−ｓｔｒｅｓｓ，ｓｃｈｏｎｅｎｄ）乾燥処理が行われ、それにより、試料スライド上に載置された薄切片が損傷されることはない。特に従って、乾燥処理時に薄切片が該薄切片を損傷するであろう温度に達することはないことが保証される。本発明の一変形実施形態では、空気供給ユニットに追加し又は択一的に放射加熱ユニットを設けることもでき、該放射加熱ユニットを用い、試料スライドが熱照射され、従って乾燥される。
【００１７】
当該処理装置は、特に移送ユニットを含んで構成され、該移送ユニットを用い、封入処理された試料スライドを封入モジュールから搬出ユニットへ移送することができる。従って、封入モジュールから搬出ユニットへの封入処理された試料スライドの自動移送が提供されており、それにより手動アクセス（手で操作すること）が省略され、そして移送ユニットを用いた移送により移送中には試料スライドの水平位置が維持され、カバーガラスが滑って位置をずらしてしまうことが回避される。搬出ユニットへ乾燥ユニットを組み込むことにより、別個の乾燥ユニットを設けることに比べ、移送ユニットをより簡単に且つよりコンパクトに構成することができようになるが、その理由は、移送ユニットにより通過される様々な移送行程が少なくて済むためである。
【００１８】
試料スライドは、その移送中には特に１つの又は複数のラック内に収容されており、それにより各試料スライドが個々に移送される必要はない。それにより、時間単位ごとにより多くの試料スライドを移送することができるようになる。更に、特に封入剤がまだ完全に乾いていない場合には、ラックを取り扱う方が個々の試料スライドを取り扱うよりも簡単である。試料スライドは、該試料スライド上に載置された薄切片と共に、好ましくはラックを用い、搬入コンパートメント（インプット用の区画）を介して当該処理装置内へ取り入れられ、ラックを用いて封入モジュールへ移送される。封入処理後には封入処理された試料スライドが、ラックが移送ユニットにより搬出ユニットへ移送される前に再びラック内へ戻される。封入剤の乾燥処理後にラックは機械的に及び／又は手動で取り出し可能である。
【００１９】
本発明の一変形実施形態において、試料スライドは個々でも封入モジュールから搬出ユニットへ移送され、個々でも搬出ユニット内に収容することができる。或いはまた、試料スライドを個々で搬入ユニット（インプットユニット）から封入モジュールへ移送することも可能である。同様に、それらの移送の一部分をラック内で（ラックを用いて）行い、それらの移送の他の一部分の間では試料スライドが個々に移送されるということも可能である。
【００２０】
搬出ユニットは、好ましくは搬出引出し（搬出用の引出し部材：アウトプット）を含んで構成され、該搬出引出し内には、乾燥ユニットを用いた乾燥処理中において、搬出すべき試料スライドが個々で及び／又はラックに収容されて保管されている。搬出引出しは、引き込まれた状態において当該処理装置のハウジングの内側に配置されており、それに対し、搬出すべき試料スライドを取り出すための引き出された状態において少なくとも部分的に当該処理装置のハウジングの外側に配置されている。従って、搬出引出し内に収容されている試料スライドは、該搬出引出しが引き出された状態において簡単に取り出すことができる。引き出された状態の搬出引出しからの試料スライド或いはラックの取り出しは、手動で及び／又は自動で行うことができる。
【００２１】
当該処理装置は、特に駆動ユニットを含んで構成され、該駆動ユニットを用い、搬出引出しが引き込まれた状態から引き出された状態へ、或いは引き出された状態から引き込まれた状態へ移動可能である。このようにして一方では、搬出引出しの快適な引き込み或いは引き出しが達成され、他方では、搬出引出しが注意深く引き込まれ或いは引き出されることが保証され、それにより搬出引出し内に収容されている試料スライドが損傷されることはない。また駆動ユニットは、特に電気モータを含んで構成される。
【００２２】
本発明の一変形実施形態において、搬出引出しは、追加的に又は択一的に、手動でも、引き込まれた状態から引き出された状態へ、或いは引き出された状態から引き込まれた状態へ移動可能である。従って駆動ユニットを省略することもでき、その際には当該処理装置の簡単で安価な構造が達成される。
【００２３】
引き込まれた状態から引き出された状態への搬出引出しの移動により、搬出引出し内に収容されている試料スライドに対する乾燥ユニットの作用も終了し、又は少なくとも減少される。従って乾燥の作用時間、従って乾燥の程度を、引き込まれた状態から引き出された状態への搬出引出しの移動により簡単に制御することができる。乾燥ユニットは、特に連続的に稼動され、乾燥の作用時間と程度は、搬出引出しの引き込み及び引き出しにより機械的に又は手動で制御される。
【００２４】
本発明の有利な一実施形態において、搬出ユニットはケーシングを含んで構成され、該ケーシングは、供給ユニットを用いてラック又は試料スライドを供給するための第１開口部と、搬出引出しが通過移動可能である第２開口部とを有する。第１開口部を通り、ラック或いは試料スライドを簡単に搬出ユニットへ供給することができる。第２開口部を通り、ラック或いは試料スライドを簡単に当該処理装置から取り出すことができる。つまりラック或いは試料スライドの簡単な取り扱い（操作）が達成される。
【００２５】
搬出ユニットのケーシングは、少なくとも一部分領域において当該処理装置のハウジングにより形成することができる。特に搬出ユニットのケーシングは、搬出引出しが配置されている部分領域において当該処理装置のハウジングにより形成されている。搬出引出しは、特に前壁を含んで構成されており、該前壁は、該搬出引出しが引き込まれた状態において当該処理装置のハウジングの一部分と搬出ユニットのケーシングの一部分とを形成する。
【００２６】
搬出引出しの前壁は、好ましくは、該搬出引出しが引き込まれた状態に配置されている場合に特に第２開口部を閉鎖する。従って当該処理装置からの空気流の漏れ、特に搬出ユニットからの空気流の漏れが回避される。
【００２７】
搬出ユニットは、好ましくは、当該搬出ユニットのケーシングにより当該処理装置の残りの部分に対して閉鎖されており、それにより、乾燥すべき試料スライドのところ（周り）を通っていく空気流が当該処理装置の残りの部分へ漏れ出すことはない。従って、搬出ユニット内に収容されている試料スライドにおいて封入剤に的を絞った簡単な乾燥処理が達成される。
【００２８】
搬出ユニットのケーシングの第１開口部は、好ましくは開閉可能であり、それにより該ハウジングが閉鎖されている場合には空気流が漏れ出すことはない。第１開口部の閉鎖は、特に摺動式扉（スライド式ドア）を介して行われることが好ましく、それにより、特に折畳式扉と比べ、必要な構造空間は少なくて済む。従って当該処理装置のコンパクトで省スペースの構造が達成される。
【００２９】
本発明の有利な一実施形態において、搬出ユニットのケーシングの少なくとも１つの部分領域は断熱材料を用いて断熱されており、それにより、搬出ユニットのケーシングにより包囲された内部空間と、当該処理装置の残りの部分との間の熱的な分離が達成される。また搬出ユニットの全ケーシングが断熱されていると特に有利である。追加的に又は択一的に摺動式扉を断熱性とすることもできる。断熱作用により熱損失は減少され、それにより、空気流を予め設定された温度に加熱するためのエネルギーはより少なくて済むことになる。
【００３０】
この際、ラックは、好ましくは、収容されたラック内に配置されている試料スライドが水平配置されているように搬出ユニット内に収容可能であり、それにより、封入剤が乾いて付着していない間に被覆要素（カバーガラス）が滑って位置をずらしてしまうことが防止される。
【００３１】
更に乾燥ユニットは、好ましくは、試料スライドから空気を排出するための空気排出ユニットを含んで構成される。従って、空気供給ユニットにより供給された空気流が排出され、空気流が試料スライドの周りを連続的に通流することが達成される。
【００３２】
特に空気排出ユニットは、好ましくは、該空気排出ユニットがファンを含んで構成されており、該ファンを用い、排出すべき空気が搬出ユニットから吸引されるないし吐き出される。空気供給ユニットも、好ましくはファンを含んで構成され、該ファンにより、供給すべき空気が空気供給路を通ってラックの方向へ送られる。
【００３３】
本発明の特に有利な一実施形態において、好ましくは、空気供給ユニットは、予め設定された温度を有する空気流を試料スライドへ供給する。予め設定された温度は、特に４０℃〜７０℃の間の値、好ましくは４０℃〜５０℃の間の値を有する。
【００３４】
温度設定された空気流の供給により、加熱空気は、より冷たい空気、特に室温を有する空気の場合よりも多くの溶剤を吸収することができるようになり、それにより、搬出ユニット内に配置された試料スライドの封入剤はより迅速に乾燥し、試料スライドが搬出ユニット内に留まるべき時間は減少される。特に好ましくは４０℃〜５０℃の間の温度を有する空気流を供給することにより、一方では、迅速な乾燥処理が行われ、他方では、高すぎる温度による薄切片の損傷が回避されることが保証される。
【００３５】
空気流の加熱のために特に乾燥ユニットは、空気流がラックへ導かれる前に該空気流を加熱するヒータ要素（ヒータエレメント）を含んで構成される。特にヒータ要素は、空気供給ユニットにおいて、搬出ユニット内に収容されているラックから離れた端部に配置されており、それによりヒータ要素とラックとの間にできるだけ大きな間隔が達成される。従って、乾燥ユニット内に配置された試料スライド上に載置されている薄切片が高すぎる温度で損傷されてしまうことが回避される。特に従って、薄切片がヒータ要素の放射熱に直接的にはさらされないことが達成される。
【００３６】
更に、空気流の現在温度を検出するためのセンサが設けられていると有利である。一制御ユニットが、予め設定された温度と現在温度とを比較し、この比較の結果に依存し、供給される空気流が目標温度を有するようにヒータ要素を制御する。従って、予め設定された目標温度も達成されることが保証される。従って試料スライドの迅速で十分な乾燥処理が成され、高すぎる温度による薄切片の損傷が回避される。ヒータ要素の制御は、特に閉ループ制御ないしフィードバック制御（Ｒｅｇｅｌｋｒｅｉｓ）の形式で行われる。
【００３７】
空気供給ユニットは、特に好ましくは空気流が０．５ｍ／ｓ〜１．５ｍ／ｓの間の気流速度及び／又は４ｍ３／ｈ〜５ｍ３／ｈの間の容積流量を有するように構成されている。この場合、カバーガラスが滑って位置をずらしてしまうことのない封入剤の十分な乾燥が、空気流が５０℃〜６０℃の間の温度をもつ際には３分以内で達成され、それにより、搬出ユニット内に収容されたラックを既に３分後には取り出すことができる。従って高いスループット（処理量）が達成される。
【００３８】
本発明の特に有利な一実施形態において、好ましくは、乾燥ユニットは少なくと１つのセンサを含んで構成され、該センサを用い、空気流の現在気流速度及び／又は現在容積流量が検知可能である。前記制御ユニットが、検出された現在気流速度及び／又は検出された現在容積流量を、予め設定された目標気流速度及び／又は予め設定された目標容積流量と比較し、予め設定された目標気流速度及び／又は予め設定された目標容積流量を有する空気流が試料スライドへ供給されるように空気供給ユニットを制御する。この制御は、特に閉ループ制御ないしフィードバック制御（Ｒｅｇｅｌｋｒｅｉｓ）の形式で行われる。
【００３９】
更に、供給すべき空気をフィルタリング（ろ過）するためのフィルタ、特に活性炭フィルタが設けられていると有利である。それにより、汚染ないし不純化された空気により、乾燥すべき試料スライド上に載置された薄切片が変質されること（ないし歪の生成）が防止され、従って薄切片の顕微鏡検査において後の結果が誤りとなってしまうことも防止される。或いはまた、排出される空気をフィルタリング（ろ過）するための別のフィルタ、特に活性炭フィルタを設けることもできる。それにより、当該処理装置の周辺部へ放出される空気は汚染されていないことになる。このことは、薄切片がそのように負荷されている場合（汚染されている場合）には特に有利である。
【００４０】
更に、ラック或いは試料スライドが保管されている搬出引出しの底部要素が少なくとも１つの開口部、好ましくは複数の開口部を有し、該開口部を通って空気供給ユニットが空気流を供給すると有利である。それにより、加熱空気が該加熱空気の自然特性（比重差による対流）に応じて下方から上方へ上昇することが達成され、従って空気を案内するための特殊な手段は必要ではない、又は必要であったとしても少なくて済む。特に空気流の供給及び排出は、ラック内で互いに隣接して配置された２つの試料スライドの間に形成されている中間空間において渦状の通流が空気流により行われるように行われ、それにより短時間内で良好な乾燥処理が達成される。
【００４１】
本発明の一変形実施形態では、搬出引出しにおいて互いに対向配置された２つの側壁において、各々、空気流を供給するためのスリット状ノズルを設けることができる。この際、スリット状ノズルは、該スリット状ノズルの縦方向（長手方向）が（当該処理装置において）鉛直に延在するように配置されている。更にスリット状ノズルは、好ましくはラック（ラックの高さ）よりも長くなるように構成されており、それにより、ラックにおいて一番端にある試料スライド（最上段や最下段にある試料スライド）の周りの確実な通流が達成される。この場合、排出すべき空気の吸引（ないし排出）は、特に底部要素の少なくとも１つの開口部を介して行われる。或いはまた、排出すべき空気はラックの上側でも吸引（ないし排出）することができる。
【００４２】
本発明の一変形実施形態では、側壁を含まずに搬出引出しを構成することもできる。この場合、スリット状ノズルは、搬出ユニットのケーシングにおいて互いに対向配置された２つの側壁に、及び／又は、搬出ユニットのケーシングの内部において該スリット状ノズルのために設けられ且つ互いに対向配置された別個の２つの側壁に配置されている。
【００４３】
特に空気供給ユニットは、空気流を供給するための少なくとも１つの空気供給路と、排出すべき空気を排出するための少なくとも１つの空気排出路とを有する。本発明の好ましい一実施形態において空気供給路と空気排出路は、これらが少なくとも一部分領域において直接的に相並んで延在し、特に空気供給路と空気排出路の各々の境界壁の一部分領域が一体式で形成されているように構成されている。従ってコンパクトで省スペースの構造が達成される。
【００４４】
本発明の更なる特徴及び長所は、添付の図面に図示した本発明の具体的な実施例を説明する後続段落の記載内容から明らかである。
【００４５】
上記のごとく本発明において下記形態が可能である。尚、下記各形態は、本願の特許請求の範囲の各請求項に記載した各々の構成要件にも対応している。
（形態１）上記一視点のとおり。
（形態２）前記乾燥ユニットは、空気流を前記試料スライドへ供給するための空気供給ユニットを含んで構成されることが好ましい。
（形態３）前記試料スライドの収容されている前記ラックは、前記乾燥ユニットを用いた乾燥処理中において前記搬出引出し上に保管されること、前記搬出引出しは、引き込まれた状態において当該処理装置のハウジングの内側に配置されること、及び、前記搬出引出しは、搬出すべき前記試料スライドを取り出すための引き出された状態において少なくとも部分的に当該処理装置の前記ハウジングの外側に配置されることが好ましい。
（形態４）前記搬出引出しは、駆動ユニットを用いて及び／又は手動で、引き込まれた状態から引き出された状態へ、或いは引き出された状態から引き込まれた状態へ移動可能であることが好ましい。
（形態５）前記搬出ユニットはケーシングを含んで構成されること、前記搬出ユニットの該ケーシングは、前記試料スライドの収容されているラック及び／又は前記試料スライドを供給するための第１開口部を含んで構成されること、及び、前記搬出ユニットは、前記搬出引出しが通過移動可能である第２開口部を含んで構成されることが好ましい。
（形態６）前記第１開口部は、摺動式扉を介して閉鎖可能であることが好ましい。
（形態７）前記搬出引出しの前壁が、該搬出引出しが引き込まれた状態に配置されている場合に前記第２開口部を閉鎖することが好ましい。
（形態８）前記搬出ユニットの前記ケーシングの少なくとも１つの部分領域が、断熱材料を用いて断熱されていることが好ましい。
（形態９）前記乾燥ユニットは、前記搬出引出し内に収容されている前記試料スライドから空気を排出するための空気排出ユニットを含んで構成されることが好ましい。
（形態１０）前記空気供給ユニットを用いて供給される空気流を加熱するためのヒータ要素が設けられていることが好ましい。
（形態１１）前記空気供給ユニットは、該空気供給ユニットが、０．５ｍ／ｓ〜１．５ｍ／ｓの間の気流速度及び／又は４ｍ３／ｈ〜５ｍ３／ｈの間の容積流量を有し、予め設定された温度を有する空気流を供給するように構成されていることが好ましい。
（形態１２）供給すべき空気をフィルタリングするためのフィルタ、及び／又は、排出される空気をフィルタリングするためのフィルタが設けられていることが好ましい。
（形態１３）前記ラック或いは前記試料スライドの保管されている前記搬出引出しの底部要素が、少なくとも１つの開口部を有すること、及び、前記空気供給ユニットは、前記開口部を通って空気流を前記試料スライドへ供給することが好ましい。
（形態１４）前記搬出引出しは、互いに対向配置された２つの側壁を含んで構成されること、及び、該側壁には、各々、空気流を供給するための少なくとも１つのスリット状ノズルが設けられていることが好ましい。
（形態１５）前記空気供給ユニットは、空気流を供給するための少なくとも１つの空気供給路を含んで構成され、前記空気排出ユニットは、空気を排出するための少なくとも１つの空気排出路を含んで構成されること、及び、少なくとも一部分領域において前記空気供給路の境界壁と前記空気排出路の境界壁が一体式で構成されていることが好ましい。
【００４６】
次に、本発明の具体的な実施例について図面を参照して説明する。
【００４７】
本明細書に添付の図面の簡単な説明は、以下のとおりである。
【図面の簡単な説明】
【００４８】
【図１】本発明の具体的な第１実施例による自動封入装置を示す概要斜視図であり、図１において搬出引出しは引き込まれた状態にある。
【図２】図１による自動封入装置を示す別の概要斜視図であり、図２において搬出引出しは引き出された状態にある。
【図３】搬出引出しを示す概要斜視図である。
【図４】図１、２による自動封入装置を極めて簡素化して示す概要図であり、図４において搬出引出しは引き込まれた状態にある。
【図５】図１、２、４による自動封入装置を極めて簡素化して示す概要図であり、図５において搬出引出しは引き出された状態にある。
【図６】本発明の具体的な第２実施例による自動封入装置を極めて簡素化して示す概要図である。
【図７】本発明の具体的な第３実施例による自動封入装置を極めて簡素化して示す概要図である。
【図８】本発明の具体的な第４実施例による自動封入装置の搬出ユニットを示す概要断面図である。
【図９】本発明の具体的な第５実施例による自動封入装置を示す概要斜視図である。
【図１０】本発明の具体的な第６実施例による自動封入装置を極めて簡素化して示す概要図である。
【図１１】本発明の具体的な第７実施例による自動封入装置を極めて簡素化して示す概要図である。
【実施例】
【００４９】
図１には、自動封入装置（自動カバーガラススリッピング装置  Ｅｉｎｄｅｃｋａｕｔｏｍａｔ）１０として構成されている、試料スライドの処理装置（取扱装置）の概要斜視図が示されている。自動封入装置１０は、図１では非図示の搬入ユニット（１６：図２）を含んで構成され、該搬入ユニット（インプットユニット）を介し、複数のラックを該ラック内に収容された試料スライドと共に自動封入装置１０へ供給することができる。搬出ユニット（アウトプットユニット）１８内に配置されたラックは例として符号２０で示され、該ラック内の試料スライドは例として符号２１で示されている。
【００５０】
ラック２０及び試料スライド２１の供給は、手動でも、供給ユニットを用いて自動でも行うことができる。従って、自動封入装置１０が試料スライド用の別の処理装置とは連結されていないスタンドアローン稼動も、ワークステーション稼動も可能である。ワークステーション稼動において自動封入装置１０は、特に自動染色装置に隣接して配置され、この際、試料スライド２１は、これらの試料スライド２１上に配置された薄切片が染色された後に、自動で、ラック２０内に収容されて自動染色装置から自動封入装置１０へ移行される。
【００５１】
更に自動封入装置１０は移送ユニット１２を有し、該移送ユニット１２を用い、搬入ユニットを介して搬入されたラック２０を封入モジュール１４へ移送することができる。封入モジュール１４内では試料スライド２１が個々にラック２０から取り出される。取り出された試料スライド２１上には先ず封入剤（被覆剤  Ｅｉｎｄｅｃｋｍｅｄｉｕｍ）が塗布され、引き続きこの封入剤上へ特にカバーガラスである被覆要素（Ｅｉｎｄｅｃｋｍｉｔｔｅｌ）が載置される。このようにして薄切片はカバーガラスにより保護され、薄切片の顕微鏡検査における明瞭な表示ないし描写が保証されている。試料スライド２１の薄切片がこのように封入処理された後に、該試料スライド２１は、再び移送されてラック２０内へ戻され、次の試料スライド２１が封入処理のために取り出される。
【００５２】
ラック２０の全ての試料スライド２１が封入処理された後に、移送ユニット１２はラック２０を搬出ユニット１８内へ移送する。搬出ユニット１８は、該搬出ユニット１８内に多数のラック２０が収容可能であるように構成されている。それらのラック２０は、該ラック（試料スライド２１）が顕微鏡検査のために顕微鏡へ供給される前に搬出ユニット１８から手動及び／又は自動で取り出すことができる。
【００５３】
搬出ユニット１８は搬出引出し（搬出用の引出し部材）２２を含んで構成され、該搬出引出し２２内に複数のラック２０が収容されている。搬出引出し２２は、図１に示されている引き込まれた状態において、ラック２０が自動封入装置１０の内部に配置されているように配置されている。また搬出引出し２２は引き込まれた状態において、特に該搬出引出し２２の前壁２４が自動封入装置１０のハウジング２６の一部分と１つの面内に配置されているように配置されており、それによりハウジング２６と前壁２４は自動封入装置１０の内部空間を好ましくは気密に閉鎖する。従って搬出引出し２２の引き込まれた状態において、空気が自動封入装置１０の内部空間から自動封入装置１０の周辺部へ漏れることが回避される。
【００５４】
図２に示されている搬出引出し２２の引き出された状態において、該搬出引出し２２は少なくとも部分的に、ハウジング２６により包囲された自動封入装置１０の内部空間の外側に配置されている。特に搬出引出し２２は引き出された状態において、該搬出引出し２２内に収容されている全てのラック２０へのアクセス（手が届くこと）が可能であるように自動封入装置１０から引き出されている。
【００５５】
図３には、図１、２による搬出引出し２２の概要斜視図が示されている。ここでは、搬出引出し２２の移動方向Ｐ１で見て各々３つのラックが相前後して収容されるように複数のラック２０が収容されている。また搬出引出し２２の移動方向Ｐ１の垂直方向で見て各々３つのラックが相並んで収容されている。従って第１実施例においては全部で９つのラックが同時に搬出引出し２２内に収容可能である。本発明の一変形実施例では９つのラック２０よりも多くの又は９つのラック２０よりも少ないラックを搬出引出し２２内に収容することができる。更に搬出引出し２２内のラック２０の配置構成は、図１〜３に示された配置構成と異なって構成することもできる。
【００５６】
自動封入装置１０は駆動ユニット２８を含んで構成され、該駆動ユニット２８を用い、搬出引出し２２を引き込まれた状態から引き出された状態へ又は引き出された状態から引き込まれた状態へ移動させることができる。駆動ユニット２８は特に電気モータ３０を有する。
【００５７】
本発明の一変形実施例において搬出引出し２２は、手動でも、引き込まれた状態から引き出された状態へ又は引き出された状態から引き込まれた状態へ移動させることができる。或いはまた、搬出引出し２２が駆動ユニット２８を用いても手動でも移動可能であるように自動封入装置１０を構成することも可能である。
【００５８】
図４には、図１、２による自動封入装置１０を極めて簡素化して示す概要図が示されており、図４において搬出引出し２２は引き込まれた状態にあり、図５は、図４に対応する図であるが、図５において搬出引出し２２は引き出された状態で示されている。搬出ユニット１８は乾燥ユニット３２を含んで構成され、該乾燥ユニット３２を用い、搬出引出し２２内に収容されたラック２０内に収容されている試料スライド２１が乾燥される。乾燥ユニット３２により、塗布された封入剤を介して塗布からそれに含まれる少なくとも一溶剤が少なくとも部分的に該封入剤から除去され（放出され：ｅｎｔｚｉｅｈｅｎ）、それにより封入剤が乾燥し、カバーガラスを試料スライドに付着させる。特に乾燥ユニット３２により、前記溶剤の比較的迅速な気化（蒸発）が達成され、それにより、乾燥ユニットをもたない自動封入装置に比べると試料スライド２１が比較的短時間で乾燥され、それにより、カバーガラスが滑って位置をずらしてしまうことなく試料スライド２１を取り出すことができる。
【００５９】
乾燥ユニット３２は、試料スライド２１が搬出引出し２２内に収容されている間中、従って搬出ユニット１８内に収容されている間中、該試料スライド２１が乾燥されるように構成されている。それにより、別個の乾燥ユニットであって該別個の乾燥ユニットでは、試料スライドが乾燥処理後に引き続いて搬出ユニットへ移送される前に試料スライドを封入処理後に中間貯蔵するという形式の別個の乾燥ユニットに比べると、コンパクトで省スペースの構造が達成される。乾燥ユニット３２の作用時間、従って溶剤除去の程度（乾燥の程度）は、特に、試料スライド２１が搬出ユニット１８内にとどまる滞留時間によって制御することができる。
【００６０】
乾燥ユニット３２は空気供給ユニット３４を含んで構成され、該空気供給ユニット３４を介し、搬出引出し２２内に収容されているラック２０に対して空気流が供給される。この空気流は、流れ方向について白抜き矢印により示唆されており、その中の１つは例として符号Ｐ２が付されている。空気供給ユニット３４は、空気供給路３６と、ファン３８と、供給すべき空気流を加熱するためのヒータ要素（ヒータエレメント）４０とを含んでいる。ヒータ要素４０は、特に空気流が５０℃〜６０℃の間の温度をもつように空気流を加熱する。この際、試料スライド２１の封入剤の十分な乾燥が、好ましくは３分以内で達成される。この乾燥処理によりカバーガラス自体は、試料スライド２１が非水平状態に保たれた場合にも滑って位置をずらすことはない。従って試料スライド２１の高いスループット（処理量）が達成される。
【００６１】
更に空気供給ユニット３４は、該空気供給ユニット３４により、特に０．５ｍ／ｓ〜１．５ｍ／ｓの間の気流速度と４ｍ３／ｈ〜５ｍ３／ｈの間の容積流量とを有する空気流が発生されるように構成されている。
【００６２】
搬出引出し２２の底部要素（底部部材）４２は複数の開口部を有し、該開口部のうち１つが例として符号４４で示されている。開口部４４を通り、空気供給ユニット３４により空気が下方から試料スライド２１へ供給され、そして加熱空気は該加熱空気の自然挙動（対流）に応じて上方へ上昇し、この際、好ましくは、ラック２０内に収容されている試料スライド（複数）２１の周りを流れてゆき、それにより試料スライド２１の封入剤ができるだけ短時間で乾燥する。
【００６３】
更に乾燥ユニット３２は空気排出ユニット４６を有し、該空気排出ユニット４６を用い、冷却され且つ溶剤の成分を含んだ空気が排出される。空気排出ユニット４６は、特に空気排出路４８とファン５０を含んで構成され、該ファン５０を用い、搬出引出し２２内に収容されているラック２０から空気が吸引され、中央排気処理ユニット５２へ供給される。空気排出ユニット４６は、ラック２０が配置されている搬出引出し２２の領域において上方に配置された吸引要素（排気集合フード）５４を含んで構成され、該吸引要素５４は複数の開口部５６を有し、これらの開口部５６を通って空気が吸引される。空気排出ユニット４６は、一方では連続的な空気流を維持し、他方では自動封入装置１０内での爆発性及び／又は健康有害性の混合物の生成を回避させるよう作動する。
【００６４】
更にセンサ５８が（例えば空気供給路３６内に）設けられており、該センサ５８を用い、供給されている空気流の現在温度が検出される。非図示の制御ユニットが、予め設定された目標温度と前記現在温度とを比較し、この比較の結果に依存してヒータ要素４０を制御する。従って、供給されている空気流が実際においても予め設定された目標温度を少なくとも近似的に有することが保証される。それにより、暖かすぎる温度による試料（検体）の損傷が回避されると共に、冷たすぎる空気流による不十分な乾燥も回避される。空気流の温度の制御は、特に閉ループ制御ないしフィードバック制御（Ｒｅｇｅｌｋｒｅｉｓ）の形式で行われる。
【００６５】
特にヒータ要素４０は、空気供給路３６において搬出引出し２２とは反対側の端部に配置されており、それによりヒータ要素４０は試料スライド２１からできるだけ遠くに離れて配置されており、従ってヒータ要素４０により、試料スライド２１に対する直接的な熱放射は作用せず、直接的な熱放射による薄切片の損傷が回避される。
【００６６】
図６には、本発明の具体的な第２実施例による自動封入装置６０を極めて簡素化して示す概要図が示されている。図６において搬出引出し２２は、引き込まれた状態で図示されている。
【００６７】
図１〜５による第１実施例と異なり、図６による第２実施例において空気供給ユニット３４は、空気流を上方からラック２０へ供給する。空気排出ユニット４６’は、搬出引出し２２の底部要素４２の複数の開口部４４を通って空気を吸引し、この空気を中央排気処理ユニット５２へ供給する。
【００６８】
本発明の一変形実施例では、搬出ユニット１８が搬出引出し２２を含まないように構成することもできる。この場合、搬出ユニット１８は、特に跳ね蓋（フラップ）及び／又は扉（ドア）である閉鎖要素を介して閉鎖可能な開口部を有し、該開口部を通り、搬出ユニット１８内に収容されているラック２０が乾燥処理後に手動で及び／又は機械式で取り出し可能である。この場合、ラック２０を取り出すためには、ハウジング２６により画定されている自動封入装置６０の内部空間内へ、該ラック２０を該内部空間から取り出すためにアクセス（手でつかむ又は器具でつかむ等）がされなくてはならない。
【００６９】
図７には、本発明の具体的な第３実施例による自動封入装置７０を極めて簡素化して示す概要図が示されている。この第３実施例において搬出ユニット１８はケーシング７２を含んで構成され、該ケーシング７２により搬出ユニット１８の内部空間８８が画定されている。搬出引出し２２が引き込まれた状態においてラック２０は内部空間８８内に配置されている。ケーシング７２は少なくとも部分的に（或いは全体的に）断熱材料を用いて断熱されており、それにより、搬出ユニット１８を包囲する空間に対する搬出ユニット１８の内部空間８８の熱的な境界付けが成されている。従って封入剤の乾燥のために必要なエネルギー需要が減少される。更にケーシング７２により、溶剤の成分を含む空気の漏れが回避される。更にケーシング７２は、空気供給ユニット３４’’及び空気排出ユニット４６’’による空気流の更に正確な案内を可能にする。
【００７０】
搬出ユニット１８のケーシング７２は第１開口部７４を有し、該第１開口部７４を通り、移送ユニット１２（図１参照）がラック２０を搬出ユニット１８へ供給し、搬出引出し２２上へ保管することができる。第１開口部７４は摺動式扉（スライド式ドア）７６を用いて閉鎖可能であり、それにより閉じた（密閉した）ケーシング７２が達成される。摺動式扉７６として扉７６を構成することにより、特にコンパクトで省スペースの構造が達成される。
【００７１】
更に搬出ユニット１８のケーシング７２は、図７で見ることはできないが第２開口部を有し、該第２開口部を通り、搬出引出し２２が引き込まれた状態と引き出された状態との間で移動可能である。搬出引出し２２が引き込まれた状態では前壁２４が特にこの第２開口部を閉鎖し、それにより搬出引出し２２が引き込まれた状態では、空気流により通流される内部空間８８が、ケーシング７２と摺動式扉７６と前壁２４とにより好ましくは気密に閉鎖されている。この第３実施例において空気の供給及び排出は、上記第１及び第２実施例に関して説明された供給及び排出の方式に対応して行うことができる。
【００７２】
図８には、本発明の具体的な第４実施例による自動封入装置の搬出ユニット１８を示す概要断面図が示されている。この第４実施例において搬出ユニット１８は２つのスリット状ノズル８０、８２を含んで構成されており、該スリット状ノズル８０、８２は、互いに対向配置された２つの側壁８４、８６に配置されており、該スリット状ノズル８０、８２を介し、空気流が空気供給ユニット３４により、ケーシング７２により画定されている搬出ユニット１８の内部空間８８へ供給される。図示の例においては、スリット状ノズル８０、８２は、該スリット状ノズルの縦方向（長手方向）が（該自動封入装置において）鉛直に延在するように配置されている。更にスリット状ノズル８０、８２は、該スリット状ノズルが、少なくとも、ラック２０において最上段の試料スライド９０と最下段の試料スライド９２との間の間隔と同じ長さであるように構成されている。本発明の好ましい一実施例においてスリット状ノズル８０、８２は、該スリット状ノズルがラック２０において最上段の試料スライド９０と最下段の試料スライド９２との間の間隔よりも僅かに長いように構成されており、それによりラック２０において最上段の試料スライド９０及び最下段の試料スライド９２の周りの空気流の通流も保証されている。
【００７３】
スリット状ノズル８０、８２により、空気流がラック２０内で水平配置されている複数の試料スライド２１の間を通過するよう案内されることになり、従って、供給された加熱空気が十分にこれらの各試料スライド２１の周りを流れる。ラック２０に対するこの空気通流により、供給された加熱空気は冷却され（熱を奪われ）、溶剤を（気化させてその成分を）吸収する。ラック２０を通流した後には冷却空気が下方へ沈み（降下し）、下部領域の中央において搬出引出し２２の底部要素４２の開口部４４を通り、空気排出ユニット４６（図７参照）を用いて吸引される。
【００７４】
図９には、本発明の具体的な第５実施例による自動封入装置１００を示す概要斜視図が示されている。この第５実施例において搬出引出し２２の側壁１０２、１０４は、搬出引出し２２内に収容されているラック２０と少なくとも同じ高さで構成されている。搬出引出し２２が引き込まれた状態において該搬出引出し２２の側壁１０２、１０４は、搬出ユニット１８（図２参照）のケーシングの側壁を形成し、従って別個の側壁は必要ではない。それにより簡単でコンパクトで安価な構造が達成される。従って搬出ユニットの内部空間の容積が減少され、それにより加熱のために必要なエネルギーは少なくて済む。
【００７５】
図１０には、本発明の具体的な第６実施例による自動封入装置１１０を極めて簡素化して示す概要図が示されている。この第６実施例において乾燥ユニット３２は、空気流を供給するための空気供給ユニット３４’だけを含んで構成されるが、冷却され且つ溶剤の成分を含んだ空気を管理して排出するための空気排出ユニットは含まれていない。
【００７６】
図１１には、本発明の具体的な第７実施例による自動封入装置１２０を極めて簡素化して示す概要図が示されている。この第７実施例において空気排出路４８Ａ（図７参照）の部分領域は（２つの）空気供給路３６（Ａ、Ｂ）の間に配置されている。このようにして特にコンパクトな構造が達成される。
【００７７】
尚、本発明の全開示（請求の範囲及び図面を含む）の枠内において、更にその基本的技術思想に基づき、実施形態ないし実施例の変更、調整が可能である。また、本発明の請求の範囲の枠内において、種々の開示要素（各請求項の各要素、各実施例の各要素、各図面の各要素等を含む）の多様な組み合わせないし選択が可能である。即ち本発明は、請求の範囲及び図面を含む全開示、技術的思想に従い、当業者であればなし得るであろう各種変形、修正を含むことは勿論である。
【符号の説明】
【００７８】
１０、６０、７０、１００、１１０、１２０  自動封入装置
１２            移送ユニット
１４            封入モジュール
１６            搬入ユニット（インプットユニット）
１８            搬出ユニット（アウトプットユニット）
２０            ラック
２１            試料スライド（試料支持体）
２２            搬出引出し（搬出用の引出し部材）
２４            前壁
２６            ハウジング
２８            駆動ユニット
３０            電気モータ
３２            乾燥ユニット
３４、３４’、３４’’    空気供給ユニット
３６、３６’、３６’’    空気供給路
３６（Ａ）、３６（Ｂ）  空気供給路
３８、５０      ファン
４０            ヒータ要素（ヒータエレメント）
４２            底部要素
４４、５６      開口部
４６、４６’、４６’’    空気排出ユニット
４８、４８’、４８’’    空気排出路
４８Ａ          空気排出路
５２            排気処理ユニット
５４            吸引要素
５８            センサ
７２            ケーシング
７４            開口部
７６            摺動式扉（スライド式ドア）
８０、８２      スリット状ノズル
８４、８６      側壁
８８            内部空間
９０、９２      ラック内で一番端にある試料スライド
１０２、１０４  側壁
Ｐ１            移動方向
Ｐ２            空気流
【図１】
0005767092.tif 000002
【図２】
0005767092.tif 000003
【図３】
0005767092.tif 000004
【図４】
0005767092.tif 000005
【図５】
0005767092.tif 000006
【図６】
0005767092.tif 000007
【図７】
0005767092.tif 000008
【図８】
0005767092.tif 000009
【図９】
0005767092.tif 000010
【図１０】
0005767092.tif 000011
【図１１】
0005767092.tif 000012